(57)【特許請求の範囲】
【請求項１】
電気乃至は電子機器の機器本体と共に付属部品をシートパッドに組み付け、そのシートパッドをトリムカバーで被包する電子・電気機器装備シートにおいて、
電気乃至は電子機器の付属部品をシートパッドの座部面より段下げ形成した収容空間の内部に組み付けると共に、その付属部品の収容空間を覆う不織布テープをシートパッドの座部面に貼り合わせて該空間部位を不織布テープで保形したことを特徴とする電気・電子機器装備シート。
【発明の詳細な説明】
【０００１】
【発明の属する技術分野】
本発明は、電気乃至は電子機器の機器本体と共に付属部品をシートパッドに組み付け、そのシートパッドをトリムカバーで被包する電気・電子機器装備シートの改良に関するものである。
【０００２】
【従来の技術】
従来、電気乃至は電子機器装備シートとしてはシートヒータを挙げることができる。そのシートヒータはヒータ本体をシートパッドの座部面に配置し、サーモスタット等の付属部品をシートパッドの凹部に組み付けることにより突出感を緩和するよう構成されている。
【０００３】
然し、そのヒータ装備シートではサーモスタット等の付属部品を凹部に組み付けた状態でシートパッドを表皮材とワディング材とから積層形成されたトリムカバーで被包するが、トリムカバーのワディング材が十分に厚くないと、凹部による異和感を感じさせる。また、凹部が比較的広範で大きなものになると、ワディング材が凹部の内部に撓み込んで窪むことにより、これ亦異和感を感じさせるため、その組付け部位が人体の感じにくい部分に限定される。
【０００４】
【発明が解決しようとする課題】
本発明は、電気乃至は電子機器の付属部品をシートパッドに組み付けても、それによる異和感を感じさせるのを防ぎ、電気乃至は電子機器の組付け範囲や部位或いはワディング厚み等の制約を受けることがない電気・電子機器装備シートを提供することを目的とする。
【０００５】
【課題を解決するための手段】
本発明に係る電気・電子機器装備シートにおいては、電気乃至は電子機器の付属部品をシートパッドの座部面より段下げ形成した収容空間の内部に組み付けると共に、その付属部品の収容空間を覆う不織布テープをシートパッドの座部面に貼り合わせて該空間部位を不織布テープで保形することにより構成されている。
【０００６】
【発明の実施の形態】
以下、添付図面を参照して説明すると、図示実施の形態は図１で示すように面状アンテナ１をシートバック２の座部面に備えると共に、加圧センサー３をシートクッション４の座部面に備え、人間が着座した時に発生する静電容量を感知することにより、乗員の有無、乗員が大人か，子供か等を判別し、エアーバックの展開，不展開を制御するシステム機構を装備する車輌用シートを例示する。
【０００７】
面状アンテナ１は、図２で示すように静電容量感知用のアンテナ本体１０をアンテナ基布１１と一体化したもので、座面上部，座面下部並びに車体側部側の土手用１ａ〜１ｃに分けて形成されている。また、その面状アンテナ１はアンテナ本体１０のターミナル１２より導出するハーネス１３，カプラー１４を付属部品として備えて構成されている。この面状アンテナ１はアンテナ本体１０を座部面に取付け配置し、ターミナル１２よりハーネス１３を座部面に設けた収容空間に組み付けることによりシートバック２のシートパッド２０に装備される。
【０００８】
シートパッド２０には、図３，図４で示すように収容空間２０ａ〜２０ｃが座部面より段下げさせて設けられている。この収容空間２０ａ〜２０ｃは、面状アンテナ１のターミナル１２よりハーネス１３を組付け可能な形状に合わせて形成すればよい。例えば、座面上部，座面下部用の面状アンテナ１ａ，１ｂに対しては縦長な凹状のものを土手部との臨界部寄りの座部面に設け、また、土手側の面状アンテナ１ｃに対しては方形のフラットなものをトリムカバーの吊込み溝２０ｄに亘るよう設けることができる。その収容空間２０ａ〜２０ｃには、ハーネス１３を含むカプラー１４をシートパッド２の背面側に引き出す通し穴２０ｅが内底面に設けられている。
【０００９】
その収容空間２０ａ〜２０ｃを付属部品の組付状態で覆うべく、図５で示すように伸びの少ない不織布テープ２１ａ〜２１ｃが備えられている。この不織布テープ２１ａ〜２１ｃは、収容空間２０ａ〜２０ｃを覆ってシートパッド２０の座部面に貼り合わせることにより空間部位を保形できるよう形成されている。
【００１０】
その不織布テープ２１ａ〜２１ｃの他に、面状アンテナ１をトリムカバーを形成するウレタンスラブ等のワディング材の層間に備えるべく、面状アンテナ１を備える面積に相当するワディング材２２ａ〜２２ｃが表皮材と積層される通常厚みのワディング材から分けて別部材に備えられている。このワディング材２２ａ〜２２ｃはシートパッド２０の座部面に貼り合わせるもので、個別に形成された面状アンテナ１の座面上部，座面下部並びに車体側部側の土手用１ａ〜１ｃを接着固定可能な面積に形成されている。
【００１１】
そのワディング材２２ａ〜２２ｃは、表皮材と積層される通常厚み１２ｍｍ程度のワディング材から相当部分を略均等厚みに二分するものであってもよい。好ましくは、面状アンテナ１を貼り合わせるワディング材２２ａ〜２２ｃの厚みを厚く取ることにより表皮材との積層側を薄く形成するとよい。
【００１２】
図示実施の形態では面状アンテナ１の厚み分を除いて、表皮材との積層側は面状アンテナ１の座部表面までの距離を近付けるべく３ｍｍ厚み程度に、面状アンテナ１を貼り合わせるワディング材２２ａ〜２２ｃは形態を保持可能な８ｍｍ厚み程度に形成されている。この厚み設定は上述した面状アンテナ１を備える面積相当領域のもので、一般面のワディング材は通常通り１２ｍｍ厚み程度であり、各ワディング材２２ａ〜２２ｃと対応する部分は一般面の面積内を凹状に窪ませ成形することにより薄いワディング層として形成すればよい。
【００１３】
その各部から面状アンテナ１（１ａ〜１ｃ）をシートパッド２０に取り付けるには、図６で示すようにアンテナ本体１０はアンテナ基布１１でワディング材２２ａ〜２２ｃの表側に貼り合わせる。また、ワディング材２２ａ〜２２ｃはシートパッド２０の座部面に接着固定する。これにより、面状アンテナ１（１ａ〜１ｃ）はシートバック２乃至はシートパッド２０の座部面において高い精度に位置合わせさせて簡単に備え付けられる。
【００１４】
その面状アンテナ１（１ａ〜１ｃ）のハーネス１３は、図７，図８で示すようにターミナル１２から曲げ込んでシートパッド２０の座部面と土手面との臨界部に設けた収容空間２０ｃ（土手側のみ図示）組み付け、カプラーは収容空間の内底面に設けた通し穴２０ｄよりシートパッド２０の背面側に引き出すことにより外部配線と接続すればよい。このターミナル１２からハーネス１３の組付け後、アンテナ本体１０の曲込み部分を挾み込んで収容空間２０ｃを覆う不織布テープ２１ｃをシートパッド２０の座部面に貼り合わせることにより該空間部位を保形する。
【００１５】
そのシートパッド２０には図９で示すようなトリムカバー２３を被せると、このトリムカバー２３は薄いワディング層２３ａを含む一般面のワディング材を表皮材２３ｂの内側に一体に積層形成したものでなるから、面状アンテナ１を層間に介在させて薄いワデイング層２３ａとワディング材２２ｃとが組み合わさることにより、トリムカバー２３のワディング材としては一般面を含む全体を均等厚みに保つことができる。なお、不織布テープ２１ｃは薄く伸びの少ない材質のものであるからトリムカバー２３の厚みに影響を与えない。
【００１６】
このように構成する乗員検知用アンテナ付きシートでは、伸びの少ない不織布テープ２１ａ〜２１ｃをシートパッド２０の座部面に貼り合わることによりターミナル１２からハーネス１３を組み付ける収容空間２０ａ〜２０ｃを覆うから、当該空間部位を不織布テープ２１ａ〜２１ｃで保形できる。このため、電気乃至は電子機器の付属部品をシートパッド２０に組み付けても、それによる異和感を感じさせるのを防げると共に、電気乃至は電子機器の組付け範囲や部位或いはワディング厚み等の制約を受けることがない。
【００１７】
それに加えて、面状アンテナ１は少なくとも通常厚みのワディング材を二層２２ａ〜２２ｃに分けた層間に介在させることにより取付位置を座部表面に近付けることができるため、アンテナ出力を良好に保つことができる。また、座面部は一般面を含む全体を均等厚みに保つワディング材によるトリムカバー２３で形成されるから、当該アンテナを組み付けないものと同等の着座感が得られる。
【００１８】
【発明の効果】
以上の如く、本発明の請求項１に係る電気・電子機器装備シートに依れば、電気乃至は電子機器の付属部品をシートパッドの座部面より段下げ形成した収容空間の内部に組み付けると共に、その付属部品の収容空間を覆う不織布テープをシートパッドの座部面に貼り合わせて該空間部位を不織布テープで保形することにより、電気乃至は電子機器の付属部品を組み付ける収容空間による異和感を感じさせるのを防げ、電気乃至は電子機器の付属部品を組み付けないものと同等の着座感を得ることができる。
【図面の簡単な説明】
【図１】本発明に係る電気・電子機器装備シートの実施の形態として乗員検知用アンテナ付きシートを全体的に示す斜視図である。
【図２】図１の乗員検知用アンテナ付きシートを構成する面状アンテナを示す斜視図である。
【図３】図１の乗員検知用アンテナ付きシートを構成するシートパッドを右側から示す斜視図である。
【図４】図１の乗員検知用アンテナ付きシートを構成するシートパッドを左側から示す斜視図である。
【図５】図１の乗員検知用アンテナ付きシートを構成する不織布テープを示す斜視図である。
【図６】図１の乗員検知用アンテナ付きシートを構成する面状アンテナを備えたシートパッドを示す斜視図である。
【図７】図１の乗員検知用アンテナ付きシートをＡーＡ線個所で示す部分拡大断面図である。
【図８】図７の乗員検知用アンテナ付きシートのＡーＡ線個所を部分的に示す正面図である。
【図９】図１の乗員検知用アンテナ付きシートを構成するトリムカバーを示す斜視図である。
【符号の説明】
１                電気・電子機器
１２〜１４        電気・電子機器の付属部品
２０              シートパッド
２０ａ〜２０ｃ    付属部品の収容空間
２１ａ〜２１ｃ    不織布テープ
２３              トリムカバー
【図１】
0004029189.tif 000002
【図２】
0004029189.tif 000003
【図３】
0004029189.tif 000004
【図４】
0004029189.tif 000005
【図５】
0004029189.tif 000006
【図６】
0004029189.tif 000007
【図７】
0004029189.tif 000008
【図８】
0004029189.tif 000009
【図９】
0004029189.tif 000010